(57)【要約】【課題】  高輝度であって且つ温度上昇を防止できる液晶表示装置を提供する。【解決手段】  入力された映像信号ａに基づいて映像を表示する液晶モジュール３２と、液晶モジュール３２の背面に配置されるバックライト装置３３とを具備する液晶表示装置３０において、液晶表示装置３０内の温度を所定の温度以上に上昇させないようにし、且つ液晶モジュール３２に表示される映像の輝度を所定の輝度以下に下降させないようにするために、液晶モジュール３２に入力する映像信号ｂの信号レベルとバックライト装置３３内の光源４６の輝度とを連動して制御する制御手段５８が設けられている。【選択図】        図１
2006243591.tif 000002
【特許請求の範囲】
【請求項１】
入力された映像信号に基づいて映像を表示する液晶モジュールと、
該液晶モジュールの背面に配置されるバックライト装置とを具備する液晶表示装置において、
当該液晶表示装置内の温度を所定の温度以上に上昇させないようにし、且つ前記液晶モジュールに表示される映像の輝度を所定の輝度以下に下降させないようにするために、前記液晶モジュールに入力する映像信号の信号レベルと前記バックライト装置内の光源の輝度とを連動して制御する制御手段が設けられていることを特徴とする液晶表示装置。
【請求項２】
前記バックライト装置の光源から出射される照明光の偏光軸を、前記液晶モジュールの背面側に設けられている偏光板の透過軸と一致させるための偏光変換手段が設けられていることを特徴とする請求項１記載の液晶表示装置。
【請求項３】
前記制御手段は、
当該液晶表示装置内に入力されてくる映像信号の信号レベルを検出し、該検出した信号レベルに基づいて前記液晶モジュールに入力する前記映像信号の信号レベルと前記バックライト装置の輝度とを連動させて制御することを特徴とする請求項１または請求項２記載の液晶表示装置。
【請求項４】
当該液晶表示装置内の温度を検出する温度センサが設けられ、
前記制御手段は、前記温度センサが検出した温度に基づいて前記液晶モジュールに入力する前記映像信号の信号レベルと前記光源の輝度を連動させて制御することを特徴とする請求項１または請求項２記載の液晶表示装置。
【請求項５】
前記光源から照射された光量を測定する光センサが設けられ、
前記制御手段は、該光センサによって測定された光量と、当該液晶表示装置に入力されてくる映像信号の信号レベルとに基づいて、前記液晶モジュールに入力する前記映像信号の信号レベルと前記光源の輝度を連動させて制御することを特徴とする請求項３記載の液晶表示装置。
【請求項６】
前記光源から照射された光量を測定する光センサが設けられ、
前記制御手段は、該光センサによって測定された光量と、前記温度センサによって測定された温度とに基づいて、前記液晶モジュールに入力する前記映像信号の信号レベルと前記光源の輝度を連動させて制御することを特徴とする請求項４記載の液晶表示装置。
【請求項７】
前記光源から照射された光量を測定する光センサと、当該液晶表示装置内の温度を検出する温度センサとが設けられ、
前記制御手段は、該光センサによって測定された光量と、前記温度センサによって測定された温度と、当該液晶表示装置に入力されてくる映像信号の信号レベルとに基づいて、前記液晶モジュールに入力する前記映像信号の信号レベルと前記光源の輝度を連動させて制御することを特徴とする請求項１または請求項２記載の液晶表示装置。
【請求項８】
前記光源は、複数の色のＬＥＤがそれぞれ１個または複数個設けられて成ることを特徴とする請求項１〜請求項６のうちいずれか１項記載の液晶表示装置。
【発明の詳細な説明】
【技術分野】
【０００１】
本発明は、液晶モジュールとバックライト装置とを具備する液晶表示装置に関する。
【背景技術】
【０００２】
図８に示すように、液晶表示装置１０は、ＴＦＴアレイ基板１１とカラーフィルタ基板１２によって液晶材料１３を挟み込んで構成されている液晶モジュール１４と、液晶モジュール１４の背面側に配置されて液晶モジュール１４に照射光を出射するバックライト装置１５とを有している。
【０００３】
バックライト装置１５は、冷陰極線管１７と導光板１８とを具備しており、冷陰極線管１７からの照射光が液晶モジュール１４にムラなく均等に入光するように設けられている。
また、液晶モジュール１４におけるＴＦＴアレイ基板１１の背面側には偏光板１６が配置されており、特定の方向に偏光された照射光のみが液晶モジュール１４内に入光されるように設けられている。
【０００４】
このような液晶表示装置におけるバックライト装置の輝度の制御については従来から実現されているところであり、例えば、省電力化の要望に基づきバックライト装置の輝度を制御してバックライト装置における消費電力を削減するための構成が特許文献１に開示されている。
また、液晶表示装置の表示品質を最適に維持しながら映像のコントラストを自在に調整するために、バックライト装置の光源の輝度と、液晶モジュールに入力される映像信号の信号レベルとを連動して制御する構成が特許文献２に開示されている。
【０００５】
【特許文献１】特開２００３−２７４３１７号公報
【特許文献２】特開平１０−３０７２８６号公報
【発明の開示】
【発明が解決しようとする課題】
【０００６】
上述したような従来の液晶表示装置においては、バックライト装置の輝度を制御することについては開示されているが、バックライト装置の光源を高輝度とすることによる温度上昇がもたらす弊害については何ら考慮されていない。
すなわち、バックライト装置の照射光を高輝度にすることでバックライト装置および液晶モジュールの温度が上昇した場合には、これを冷却する構造が必要となるが、冷却機構の設置等により小型化・薄型化を達成できないという課題があった。
【０００７】
そこで、本発明者は、液晶表示装置に表示される映像の高輝度を達成しつつ温度上昇を防止するには、液晶モジュールに入力される映像信号の信号レベルとバックライト装置の輝度とを連動させて制御すればよいと考え、本発明に想到した。
【０００８】
すなわち、本発明は上記目的を達成すべくなされ、その目的とするところは、高輝度であって且つ温度上昇を防止できる液晶表示装置を提供することにある。
【課題を解決するための手段】
【０００９】
本発明にかかる液晶表示装置によれば、入力された映像信号に基づいて映像を表示する液晶モジュールと、該液晶モジュールの背面に配置されるバックライト装置とを具備する液晶表示装置において、当該液晶表示装置内の温度を所定の温度以上に上昇させないようにし、且つ前記液晶モジュールに表示される映像の輝度を所定の輝度以下に下降させないようにするために、前記液晶モジュールに入力する映像信号の信号レベルと前記バックライト装置内の光源の輝度とを連動して制御する制御手段が設けられていることを特徴としている。
この構成を採用することによって、例えば、液晶表示装置内での温度上昇のおそれがある場合にバックライト装置の光源の輝度を下げて温度を抑えたとしても、液晶モジュールに入力させる映像信号の信号レベルを上昇させることで、全体として液晶モジュールによって表示される映像の輝度を下げることがないようにすることができる。このため、液晶表示装置の高輝度化と温度上昇の防止とを両立させることができる。つまり、信号レベルを上げることで、バックライトの光源輝度を下げた分を補っている。
【００１０】
また、前記バックライト装置の光源から出射される照明光の偏光軸を、前記液晶モジュールの背面側に設けられている偏光板の透過軸と一致させるための偏光変換手段が設けられていることを特徴としてもよい。
これによれば、液晶モジュールの背面側に設けられている偏光板での発熱を抑え温度上昇の防止に寄与し液晶表示装置を高輝度化できる。つまり、バックライト装置において光源からの照明光をそのまま液晶モジュールに入光させた場合には、液晶モジュールの背面に存する偏光板によって、偏光板の透過軸と一致しない照明光の偏光成分はここで吸収され、熱に変換されて発熱してしまうが、バックライト装置からの照射光を偏光板の透過軸に一致させることで発熱防止と共に高輝度化を図れるのである。
【００１１】
さらに、前記制御手段は、当該液晶表示装置内に入力されてくる映像信号の信号レベルを検出し、該検出した信号レベルに基づいて前記液晶モジュールに入力する前記映像信号の信号レベルと前記バックライト装置の輝度とを連動させて制御することを特徴としてもよい。
この構成によれば、制御手段によって温度上昇を抑えながら輝度を維持することができる。
【００１２】
なお、当該液晶表示装置内の温度を検出する温度センサが設けられ、前記制御手段は、前記温度センサが検出した温度に基づいて前記液晶モジュールに入力する前記映像信号の信号レベルと前記光源の輝度を連動させて制御することを特徴としてもよい。
この構成によれば、液晶表示装置内が所定の温度以上とはならないように確実に制御することができる。
【００１３】
また、前記光源から照射された光量を測定する光センサが設けられ、前記制御手段は、該光センサによって測定された光量と、当該液晶表示装置に入力されてくる映像信号の信号レベルとに基づいて、前記液晶モジュールに入力する前記映像信号の信号レベルと前記光源の輝度を連動させて制御することを特徴としてもよい。
この構成によれば、経年劣化や温度変化等により、制御手段からの制御にかかわらずＬＥＤの輝度が変化してしまった場合であっても、この変化を検出することができるので、好ましい輝度に補正することができる。
【００１４】
前記光源から照射された光量を測定する光センサが設けられ、前記制御手段は、該光センサによって測定された光量と、前記温度センサによって測定された温度とに基づいて、前記液晶モジュールに入力する前記映像信号の信号レベルと前記光源の輝度を連動させて制御することを特徴としてもよい。
この構成によっても、経年劣化や温度変化等により、制御手段からの制御にかかわらずＬＥＤの輝度が変化してしまった場合に、この変化を検出することができるので、好ましい輝度に補正することができる。
【００１５】
また、前記光源から照射された光量を測定する光センサと、当該液晶表示装置内の温度を検出する温度センサとが設けられ、前記制御手段は、該光センサによって測定された光量と、前記温度センサによって測定された温度と、当該液晶表示装置に入力されてくる映像信号の信号レベルとに基づいて、前記液晶モジュールに入力する前記映像信号の信号レベルと前記光源の輝度を連動させて制御することを特徴としてもよい。
この構成によれば、経年劣化や温度変化等により、制御手段からの制御にかかわらずＬＥＤの輝度が変化してしまった場合であっても、この変化を検出することができるので、好ましい輝度に補正することができる。
【００１６】
前記光源は、複数の色のＬＥＤがそれぞれ１個または複数個設けられて成ることを特徴としてもよい。
この構成によれば、液晶モジュールに表示される映像において、より広い範囲の色を再現することが可能である。
【発明の効果】
【００１７】
本発明の液晶表示装置によれば、高輝度化と温度上昇の防止の両立を図ることができる。また、同時に低消費電力化も実現できる。
【発明を実施するための最良の形態】
【００１８】
（実施例１）
以下、本発明の好適な実施例を添付図面に基づいて説明する。
図１は、本発明の液晶表示装置の内部構成を示すブロック図である。
液晶表示装置３０は、液晶モジュール３２と、バックライト装置３３とを具備している。バックライト装置３３は、液晶モジュール３２の背面側に配置されており、液晶モジュール３２に対して照明光を照射する。
また、液晶表示装置３０は、ＰＣ（パーソナルコンピュータ：図示せず）等から入力される映像信号ａによって、液晶モジュール３２が映像を表示する。映像信号ａは、映像処理部３４に入力される。映像処理部３４は、スケーリング処理等の各信号処理を実行して、信号処理後の映像信号ｂを液晶モジュール３２のＴＦＴアレイ基板３８に入力する。
【００１９】
以下、液晶モジュール３２について説明する。
液晶モジュール３２は、液晶材料３６をＴＦＴアレイ基板３８とカラーフィルタ基板４０とが挟み込んで構成しており、ＴＦＴアレイ基板３８が背面側、カラーフィルタ基板４０が前面側に位置する。
ＴＦＴアレイ基板３８は、透明基板上に形成されたマトリクス状の電極線の交点に薄膜トランジスタを配置して構成されたものであり、入力された映像信号ｂに基づいて各画素をオン−オフする。
また、カラーフィルタの前面側には偏光板４２が配置されており、ＴＦＴアレイ基板３８の背面側にも偏光板４４が配置されている。
【００２０】
次に、バックライト装置３３について説明する。
バックライト装置３３は、液晶モジュール３２の背面側の偏光板４４に向けて照射光を照射するものであり、光源としてＬＥＤ４６を採用している。特に、近年ではバックライト装置の光源としてＬＥＤが採用されてきているが、ＬＥＤは従来の冷陰極線管よりも発熱量が多いので、熱対策については十分に検討する必要がある。ＬＥＤを採用することにより、従来の冷陰極線管と比べ小型化、高輝度化が望める。
ＬＥＤ４６は、ＲＧＢ（赤、緑、青）三色のＬＥＤを用いるようにすると好適である。三色のＬＥＤが照射する光を混色させて液晶モジュール３２に照射することにより、表示映像の色の再現がより広域化する。
ＬＥＤ４６は、ＬＥＤドライブ回路４８によって駆動されている。ＬＥＤドライブ回路４８は、映像処理部３４から出力される制御信号ｃによって制御される。一般的にＬＥＤドライブ回路４８のＬＥＤ４６の輝度調整は、ＰＷＭ（Pulse Width Modulation）によって制御されることが多く、本実施例ではパルス幅を変化させた制御信号ｃによりＬＥＤドライブ回路４８を制御している。
【００２１】
ＬＥＤ４６の前面には、ＬＥＤ４６から出射された光を平行光に変換するための平行光線変換レンズ４９が配置されている。平行光線変換レンズ４９としては、例えば平凸レンズ等が用いられ、平面側がＬＥＤ４６側に向けて配置される。
平行光線変換レンズ４９の前面には、ＬＥＤ４６からの照射光の２つの偏光成分（Ｐ波とＳ波）のうちどちらか一方の偏光軸を他方の偏光軸に合わせてそろえる偏光変換素子５０が配置されている。偏光変換素子５０によってそろえられる偏光軸は、液晶モジュール３２の背面側に設けられている偏光板４４の透過軸と一致する方向である。このため、ＬＥＤ４６から照射される光を効率よく使用でき、また偏光板などでカットされる偏光成分による発熱を無くして温度上昇の防止を図れる。
【００２２】
偏光変換素子５０の具体例を図２に示す。
偏光変換素子５０は、ビームスプリッタ５２、１／２波長板５４および反射鏡５５を有している。ビームスプリッタ５２はＰ波とＳ波とを分離する部品であり、１／２波長板５４は分離した一方の偏光を他方の偏光に一致させるようにビームスプリッタ５２から分離された偏光の光路上に配置される。
【００２３】
本実施例では、ビームスプリッタ５２によってＰ波が直進し、Ｓ波が９０度曲げられて反射される。９０度曲げられて反射されたＳ波は、１／２波長板５４によってＰ波に変換され、反射鏡５５によってＰ波の進行方向と同一の進行方向となるように反射される。
なお、１／２波長板５４の配置場所は、図２に図示したようにビームスプリッタ５２の側面に限定することはなく、ビームスプリッタ５２の前面側の位置５４ａであってもよいし、反射鏡５５の前面側の位置５４ｂであってもよい。
【００２４】
偏光変換素子５０の前面側には、輝度を均一化する輝度均一化レンズ５６が配置されている。輝度均一化レンズ５６は、例えば、平凸レンズを採用することができる。平凸レンズの平面側を液晶モジュール３２方向に配置することで、平行光が分散され輝度が均一化される。
【００２５】
次に、映像処理部３４について説明する。
映像処理部３４は、上述したように、ＰＣ等から入力された映像信号ａを信号処理して映像信号ｂを生成してＴＦＴアレイ基板３８に入力する機能を有している。
そして、映像処理部３４に設けられた制御部５８が、ＴＦＴアレイ基板３８に出力する映像信号ｂの信号レベルと、ＬＥＤ４６の輝度を連動して制御する。
【００２６】
制御部５８には、映像処理部３４に入力されてくる映像信号ａの信号レベルに基づいてバックライト装置３３の照射光が適正な輝度となるように、映像信号ａの信号レベルと、ＬＥＤドライブ回路４８を制御する制御信号ｃのパルス幅と、ＴＦＴアレイ基板３８に入力する映像信号ｂの信号レベルとが対応したデータテーブル６２が設けられている。
制御部５８は、映像信号ａの出力レベルを検出した後、データテーブル６２を参照して対応するパルス幅となるように制御信号ｃを生成してＬＥＤドライブ回路４８へ制御信号ｃを出力する。
そして、制御部５８は、ＬＥＤ４６を駆動するための制御信号ｃのパルス幅に対応する映像信号ｂの信号レベルをデータテーブル６２から取り出し、その信号レベルの映像信号ｂを生成してＴＦＴアレイ基板３８に出力する。
【００２７】
なお、映像信号ａの信号レベルと、ＬＥＤドライブ回路４８を制御する制御信号ｃのパルス幅と、ＴＦＴアレイ基板３８に入力する映像信号ｂの信号レベルとを関連付けしたデータテーブルとしては1種類に限られることはなく、２種類以上のデータテーブルを設けてもよい。
すなわち、温度上昇の防止を優先させて、よりＬＥＤ４６の輝度が低くなるように設定したパターンや、液晶モジュール３２に表示される映像表現を優先させてＬＥＤ４６の輝度を少し高めに設定したパターン等様々なパターンのデータテーブルを設けておき、ユーザが温度上昇防止を優先させるか、映像表現を優先させるかを選択させるようにすれば、ユーザの指向に適した設定ができる。また、低消費電力を優先する設定も考えられる。
【００２８】
（実施例２）
続いて、実施例２について図３に基づいて説明する。なお、上述した実施例１と同一の構成要素については同一の符号を付し、説明を省略する場合もある。
本実施例では、液晶表示装置３０内の温度を測定する温度センサ６０が設けられており、この温度センサ６０が測定した温度状況に基づいて、ＬＥＤ４６の輝度とＴＦＴアレイ基板３８に入力する映像信号ｂの信号レベルとを連動させて制御しようとするものである。
【００２９】
制御部５８には、温度センサ６０が測定した実際の温度と、ＬＥＤドライブ回路４８を制御する制御信号ｃのパルス幅と、ＴＦＴアレイ基板３８に入力する映像信号ｂの信号レベルとを関連付けしたデータテーブル６４が設けられている。
すなわち、温度センサ６０が測定した温度は制御部５８に入力され、制御部５８ではデータテーブル６４を参照して、温度センサ６０が測定した温度に対応するパルス幅となるように制御信号ｃを生成してＬＥＤドライブ回路４８へ制御信号ｃを出力する。
そして、制御部５８は、ＬＥＤ４６を駆動するための制御信号ｃのパルス幅に対応する映像信号ｂの信号レベルをデータテーブル６４から取り出し、そのような信号レベルとなるように映像信号ｂを生成して、ＴＦＴアレイ基板３８へ出力する。
【００３０】
温度センサ６０の設置は、ＬＥＤ４６や液晶モジュール３２の背面側など、発熱が生じそうな場所にするとよい。ＬＥＤ４６を温度センサ付きの物としても好適である。
【００３１】
（実施例３）
以下、実施例３について、図４に基づいて説明する。なお、上述してきた実施例と同一の構成要素については同一の符号を付し、説明を省略する場合もある。
本実施例では、液晶表示装置３０内に光センサ６６を設け、ＬＥＤ４６が照射する光量を測定し、この光量と、温度センサ６０により測定された温度との双方の測定値に基づいて、制御部５８が、ＬＥＤドライブ回路４８への制御信号ｃのパルス幅とＴＦＴアレイ基板３８に入力させる映像信号ｂの信号レベルとを連動させて制御している。
【００３２】
例えば、ＬＥＤ４６は経年劣化による輝度の低下や温度変化による輝度の変化をもたらすことがあるが、かかる場合において、上述した実施例１，２ではＬＥＤ４６の現実の輝度が検出されないので、予めデータテーブル６２、６４で設定した値の範囲内だけで制御を行なっていても、ＬＥＤの輝度が低下したことの補正ができない。
【００３３】
そこで、本実施例における制御部５８は、温度センサ６０が検出した温度に基づいて、検出温度に対応するＬＥＤドライブ回路４８を制御する制御信号ｃのパルス幅と、ＴＦＴアレイ基板３８に入力する映像信号ｂの信号レベルとを連動させて制御するようにし、且つ光センサ６６によって検出された光量と検出温度に対応する光量の理論値とを比較し、実際に検出された光量が理論値に一致するかまたは所定の範囲内に近づくように、制御信号ｃのパルス幅を補正するように制御する。
【００３４】
すなわち、制御部５８内には、温度センサ６０が検出する温度に基づいて、バックライト装置３３の照射光が適正な輝度となるように、温度と、ＬＥＤドライブ回路４８を制御する制御信号ｃのパルス幅と、ＴＦＴアレイ基板３８に入力する映像信号ｂの信号レベルとが対応し、且つ温度センサ６０が検出した温度において光センサ６６が検出する光量の理論値とがまとめられたデータテーブル６８が設けられている。
【００３５】
温度センサ６０が測定した温度は、制御部５８に入力され、制御部５８ではデータテーブル６８を参照して、温度センサ６０が測定した温度に対応するパルス幅となるように制御信号ｃを生成してＬＥＤドライブ回路４８へ制御信号ｃを出力する。
そして、制御部５８は、ＬＥＤ４６を駆動するための制御信号ｃのパルス幅に対応する映像信号ｂの信号レベルをデータテーブル６８から取り出し、そのような信号レベルとなるように映像信号ｂを生成して、ＴＦＴアレイ基板３８へ出力する。
【００３６】
さらに、制御部５８は、温度センサ６０が検出した温度に基づく光量の理論値ｄをデータテーブルから取り出し、光センサ６６が実際に検出した光量の実測値と比較する。制御部５８は、光センサ６６が検出した光量の実測値が、データテーブル６８内の理論値の所定の範囲内に入っている場合には、ＬＥＤ４６を駆動するための制御信号ｃのパルス幅はデータテーブル６８内に記憶されていた通りの値で制御する。しかし、光センサ６６が検出した光量の実測値が理論値の所定の範囲から外れている場合には、制御部５８は、光量の実測値が理論値に近づくように、制御信号ｃのパルス幅を補正し、補正された制御信号ｃをＬＥＤドライブ回路４８へ出力する。
【００３７】
（実施例４）
以下、実施例４について、図５に基づいて説明する。なお、上述してきた実施例と同一の構成要素については同一の符号を付し、説明を省略する場合もある。
本実施例では、液晶表示装置３０内に光センサ６６を設けているが、温度センサを設けていない点が上述した実施例３と異なる。本実施例では、ＬＥＤ４６が照射する光量を測定し、制御部５８が、ＬＥＤドライブ回路４８への制御信号ｃのパルス幅とＴＦＴアレイ基板３８に入力させる映像信号ｂの信号レベルとを連動させて制御している。
【００３８】
すなわち、制御部５８内には、映像処理部３４に入力されてくる映像信号ａの信号レベルに基づいてバックライト装置３３の照射光が適正な輝度となるように、映像信号ａの信号レベルと、ＬＥＤドライブ回路４８を制御する制御信号ｃのパルス幅と、ＴＦＴアレイ基板３８に入力する映像信号ｂの信号レベルとが対応し、且つＬＥＤドライブ回路４８へ出力する制御信号ｃのパルス幅に基づいて光センサ６６が検出する光量の理論値とがまとめられたデータテーブル７０が設けられている。
【００３９】
制御部５８は、映像信号ａの出力レベルを検出した後、データテーブル７０を参照して対応するパルス幅となるように制御信号ｃを生成してＬＥＤドライブ回路４８へ制御信号ｃを出力する。
そして、制御部５８は、ＬＥＤ４６を駆動するための制御信号ｃのパルス幅に対応する映像信号ｂの信号レベルをデータテーブル６２から取り出し、その信号レベルの映像信号ｂを生成してＴＦＴアレイ基板３８に出力する。
【００４０】
さらに、制御部５８は、データテーブル７０においてＬＥＤ４６を駆動するための制御信号ｃのパルス幅に基づく光量の理論値ｄをデータテーブルから取り出し、光センサ６６が実際に検出した光量の実測値と比較する。制御部５８は、光センサ６６が検出した光量の実測値が、データテーブル６８内の理論値の所定の範囲内に入っている場合には、ＬＥＤ４６を駆動するための制御信号ｃのパルス幅はデータテーブル６８内に記憶されていた通りの値で制御する。しかし、光センサ６６が検出した光量の実測値が理論値の所定の範囲から外れている場合には、制御部５８は、光量の実測値が理論値に近づくように、制御信号ｃのパルス幅を補正し、補正された制御信号ｃをＬＥＤドライブ回路４８へ出力する。
【００４１】
（実施例５）
以下、実施例５について、図６および図７に基づいて説明する。なお、上述してきた実施例と同一の構成要素については同一の符号を付し、説明を省略する場合もある。
本実施例では、液晶表示装置３０内に光センサ６６および温度センサ６０を設け、映像処理部３４に入力されてくる映像信号ａの信号レベルと温度センサ６０が検出する温度とに基づいて、バックライト装置３３の照射光が適正な輝度となるように、検出温度毎に、映像信号ａと、ＬＥＤドライブ回路４８を制御する制御信号ｃのパルス幅と、ＴＦＴアレイ基板３８に入力する映像信号ｂとが対応し、且つ温度センサ６０が検出した温度において光センサ６６が検出するであろう光量の理論値とがまとめられた各温度毎のデータテーブル７２ａ，７２ｂ・・が設けられている。
【００４２】
本実施例における制御の手順について図７に基づいて説明する。
まず、温度センサ６０が液晶表示装置３０内の温度を検出し、制御部５８へ温度データを入力する（ステップＳ１００）。そして、制御部５８は、映像処理部３４に入力されてくる映像信号ａの信号レベルを検出する（ステップＳ１０２）。
そして、制御部５８は、検出した温度ｔに対応するデータテーブルを選択する（ステップＳ１０４）。例えば温度がｔ１であれば、ｔ１に対応するデータテーブル７２ａを選択する。
【００４３】
制御部５８は、映像信号ｂの信号レベルをデータテーブル７２から取り出し、その信号レベルの映像信号ｂを生成してＴＦＴアレイ基板３８に出力する（ステップＳ１０６）。
また、制御部５８は、制御信号ｃのパルス幅をデータテーブル７２から取り出し、そのパルス幅となる制御信号ｃを生成してＬＥＤドライブ回路４８へ制御信号ｃを出力する（ステップＳ１０８）。
【００４４】
光センサ６６が検出した光量はデータとして制御部５８に入力される。制御部５８では、データテーブル７２に記憶されている光量の理論値を取り出して、光センサ６６が実際に検出した光量の実測値と比較する（ステップＳ１１０）。
制御部５８は、光センサ６６が検出した光量の実測値が、データテーブル６８内の理論値の所定の範囲内に入っている場合には、ステップＳ１１２へ移行し、ＬＥＤ４６を駆動するための制御信号ｃのパルス幅はデータテーブル７２内に記憶されていた通りの値で制御する。
その後、制御部５８は、ステップＳ１００へ戻り、温度センサ６０によって温度を検出しつつ、液晶表示装置３０の表示動作を制御する。
【００４５】
なお、光センサ６６が検出した光量の実測値が理論値の所定の範囲から外れている場合にはステップＳ１１１へ移行し、制御部５８は、光量の実測値が理論値に近づくように、制御信号ｃのパルス幅を補正し、補正された制御信号ｃをＬＥＤドライブ回路４８へ出力する（ステップＳ１０８）。
【００４６】
本発明の液晶表示装置は、ＰＣのモニタ用、ＴＶ受像機用など様々な用途に使用することができる。
【００４７】
以上本発明につき好適な実施例を挙げて種々説明したが、本発明はこの実施例に限定されるものではなく、発明の精神を逸脱しない範囲内で多くの改変を施し得るのはもちろんである。
【図面の簡単な説明】
【００４８】
【図１】本発明の第1実施例の概略構成を示すブロック図である。
【図２】偏光変換素子の構成を示す説明図である。
【図３】本発明の第2実施例の概略構成を示すブロック図である。
【図４】本発明の第３実施例の概略構成を示すブロック図である。
【図５】本発明の第４実施例の概略構成を示すブロック図である。
【図６】本発明の第５実施例の概略構成を示すブロック図である。
【図７】本発明の第５実施例の手順を示すフローチャートである。
【図８】従来の液晶表示装置の概略構成を示す説明図である。
【符号の説明】
【００４９】
３０   液晶表示装置
３２   液晶モジュール
３３   バックライト装置
３４   映像処理部
３６   液晶材料
３８   ＴＦＴアレイ基板
４０   カラーフィルタ基板
４２，４４    偏光板
４８   ＬＥＤドライブ回路
４９   平行光線変換レンズ
５０   偏光変換素子
５２   ビームスプリッタ
５４   １／２波長板
５５   反射鏡
５６   輝度均一化レンズ
５８   制御部
６０   温度センサ
６２，６４，６８，７０，７２    データテーブル
６６   光センサ
ａ     映像信号
ｂ     映像信号
ｃ     制御信号                                                                 
【図１】
2006243591.tif 000003
【図２】
2006243591.tif 000004
【図３】
2006243591.tif 000005
【図４】
2006243591.tif 000006
【図５】
2006243591.tif 000007
【図６】
2006243591.tif 000008
【図７】
2006243591.tif 000009
【図８】
2006243591.tif 000010